(57)【要約】【課題】  窓の意匠性を損なうことなく、操作性に優れた防犯性の高い錠装置およびこれを備えた引違い窓を提供する。【解決手段】  内障子４の召合せ框２３ａに対しスライド操作自在に設けた操作部材５１と、内障子４の召合せ框２３ａの内部に設けられ、操作部材５１のスライド操作に連動して外障子３の召合せ框２３ｂに対し施錠および解錠動作する錠本体７５と、外障子３の召合せ框２３ｂに設けられ、施錠動作した錠本体７５が係合する錠受け部材５５と、を備え、操作部材５１は、内障子４の召合せ框２３ａと略同長に形成され且つこれに添わせて設けられている。【選択図】  図５
2007070908.tif 000002
【特許請求の範囲】
【請求項１】
室内側の第１の召合せ部または室外側の第２の召合せ部のうち、少なくとも一方が障子の召合せ部であると共に、前記室内側の第１の召合せ部と前記室外側の第２の召合せ部とが見込み方向に重なった前記障子の閉塞状態で、前記障子を室内側から施錠および解錠可能に構成された錠装置において、
前記第１の召合せ部に対しスライド操作自在に設けた操作部材と、
前記第１の召合せ部の内部に設けられ、前記操作部材のスライド操作に連動して前記第２の召合せ部に対し施錠および解錠動作する錠本体と、
前記第２の召合せ部に設けられ、施錠動作した前記錠本体が係合する錠受け部と、を備え、
前記操作部材は、前記第１の召合せ部と略同長に形成され且つこれに添わせて設けられていることを特徴とする錠装置。
【請求項２】
前記操作部材は、前記第１の召合せ部に対し上下方向にスライド操作自在に添設されていることを特徴とする請求項１に記載の錠装置。
【請求項３】
前記錠本体は、錠受け部に係合する施錠位置と係合を解く解錠位置との間で進退自在に構成され、
前記操作部材と前記錠本体との間には、前記操作部材のスライド動作を前記錠本体の進退動作に変換する変換機構が介設されていることを特徴とする請求項２に記載の錠装置。
【請求項４】
前記変換機構は直動カムで構成され、
前記直動カムは、前記錠本体の進退動作させるカム斜面と、前記カム斜面の両端部に連なると共に前記錠本体の前進位置および後退位置を維持する一対の平坦面とを有していることを特徴とする請求項３に記載の錠装置。
【請求項５】
前記操作部材は、前記第１の召合せ部に対し内外方向にスライド操作自在に添設されていることを特徴とする請求項１に記載の錠装置。
【請求項６】
前記第１の召合せ部には、前記内外方向の両スライド端位置における前記操作部材に対しクリック係合するクリック機構が設けられていることを特徴とする請求項５に記載の錠装置。
【請求項７】
前記障子の開放時に前記錠本体の施錠動作を阻止し、閉塞時に前記錠本体の施錠動作を許容するインターロック機構を、更に備え、
前記インターロック機構は、前記第１の召合せ部の内部に設けられ、前記開放時に前記第１の召合せ部から突出し前記閉塞時に前記第２の召合せ部により没入するトリガ部材と、前記トリガ部材を突出方向に付勢するばねと、を有し、
前記トリガ部材は、先端部が前記第１の召合せ部から突出し基端部が前記錠本体の移動軌跡上に臨んで前記錠本体の施錠動作を阻止する阻止位置と、先端部が前記第１の召合せ部から没入し基端部が前記錠本体の移動軌跡上から外れて前記錠本体の施錠動作を許容する許容位置との間で、前記移動軌跡に対し斜めに進退自在に構成されていることを特徴とする請求項１ないし６のいずれかに記載の錠装置。
【請求項８】
請求項１ないし７のいずれかに記載の錠装置と、
前記障子と、
前記障子を開閉自在に支持する窓枠と、を備えたことを特徴とする窓。
【発明の詳細な説明】
【技術分野】
【０００１】
本発明は、クレセントに代えて片引き窓や引違い窓等の施錠に用いられる錠装置およびこれを備えた窓に関するものである。
【背景技術】
【０００２】
従来、この種の錠装置として、クレセントが主として用いられており、クレセントは、内障子の召合せ框の外側面に設けられた鎌形状の掛け金と、外障子の召合せ框の内側面に設けられた受け金とを備えている（特許文献１参照）。これにより、掛け金のレバーを回転させ、受け金と掛け合わせることで、内外両障子が施錠される。
【特許文献１】特開平１０−３３１５０１号公報
【発明の開示】
【発明が解決しようとする課題】
【０００３】
しかしながら、このような錠装置では、召合せ框に対し錠装置が突出した状態で設けられることになる。この状態において、錠装置は障子のガラス越しに視認され、その錠装置の施錠状態や構造がわかってしまい、防犯上好ましくない。また、縦横のラインで構成された窓のデザインに対し、召合せ框から突出する錠装置は、意匠上も好ましくないものとなっていた。さらに、錠装置は、大人による操作を考慮しており、子供にとっては手が届かない位置に配置されるため、万人向きの操作性を有するものではなかった。
【０００４】
そこで本発明は、窓の意匠性を損なうことなく、操作性に優れた防犯性の高い錠装置およびこれを備えた窓を提供することを課題とする。
【課題を解決するための手段】
【０００５】
室内側の第１の召合せ部または室外側の第２の召合せ部のうち、少なくとも一方が障子の召合せ部であると共に、室内側の第１の召合せ部と室外側の第２の召合せ部とが見込み方向に重なった障子の閉塞状態で、障子を室内側から施錠および解錠可能に構成された錠装置において、第１の召合せ部に対しスライド操作自在に設けた操作部材と、第１の召合せ部の内部に設けられ、操作部材のスライド操作に連動して第２の召合せ部に対し施錠および解錠動作する錠本体と、第２の召合せ部に設けられ、施錠動作した錠本体が係合する錠受け部と、を備え、操作部材は、第１の召合せ部と略同長に形成され且つこれに添わせて設けられていることを特徴とする。
【０００６】
この構成によれば、錠本体を第１の召合せ部に内蔵し、操作部材を第１の召合せ部に添わせることで、第１の召合せ部と一体的に構成することができるため、外部からの視認に対し施錠状態の判別がつきにくく、また錠装置の存在自体の判別もつきにくい。すなわち、錠装置自体の位置およびその構造を外観からでは判別することができないため、防犯性の高いものとすることができる。また、操作部材と第１の召合せ部とは同長に形成されているため、デザインの統一感を出すことができ、さらに、操作部材を任意の高さで操作して、錠本体の施錠および解錠動作を行うことができる。すなわち、ユニバーサルデザインに対応している。
【０００７】
この場合、操作部材は、第１の召合せ部に対し上下方向にスライド操作自在に添設されていることが、好ましい。
【０００８】
この構成によれば、操作部材を上下方向にスライド操作するだけで、錠本体の施錠および解錠動作を簡単に行うことができる。
【０００９】
この場合、錠本体は、錠受け部に係合する施錠位置と係合を解く解錠位置との間で進退自在に構成され、操作部材と錠本体との間には、操作部材のスライド動作を錠本体の進退動作に変換する変換機構が介設されていることが、好ましい。
【００１０】
この構成によれば、操作部材の上下方向によるスライド動作を、錠本体の内外方向への進退動作に変換することができ、また錠本体の施錠および解錠動作を単純化することで、構造を単純化することができる。また同時に錠受け部の構造も単純化することができる。
【００１１】
この場合、変換機構は直動カムで構成され、直動カムは、錠本体の進退動作させるカム斜面と、カム斜面の両端部に連なると共に錠本体の前進位置および後退位置を維持する一対の平坦面とを有していることが、好ましい。
【００１２】
この構成によれば、操作部材の上下方向によるスライド動作を、カム斜面により、錠本体の内外方向への進退動作に変換することができ、また、錠本体を一対の平坦面によって位置決めされる施錠位置および解錠位置に安定に保持することができる。なお、操作部材の下方向操作を錠本体の施錠方向となるようにカム斜面を形成すれば、振動等により錠本体が解錠される等の不具合がない。
【００１３】
一方、操作部材は、第１の召合せ部に対し内外方向にスライド操作自在に添設されていることが、好ましい。
【００１４】
この構成によれば、操作部材を内外方向にスライド操作するだけで、錠本体の施錠および解錠動作を簡単に行うことができる。
【００１５】
この場合、第１の召合せ部には、内外方向の両スライド端位置における操作部材に対しクリック係合するクリック機構が設けられていることが、好ましい。
【００１６】
この構成によれば、操作部材が第１の召合せ部にクリック係合することにより、施錠および解錠が体感でき、操作ミスを防止することができる。
【００１７】
これらの場合、障子の開放時に錠本体の施錠動作を阻止し、閉塞時に錠本体の施錠動作を許容するインターロック機構を、更に備え、インターロック機構は、第１の召合せ部の内部に設けられ、開放時に第１の召合せ部から突出し閉塞時に第２の召合せ部により没入するトリガ部材と、トリガ部材を突出方向に付勢するばねと、を有し、トリガ部材は、先端部が第１の召合せ部から突出し基端部が錠本体の移動軌跡上に臨んで錠本体の施錠動作を阻止する阻止位置と、先端部が第１の召合せ部から没入し基端部が錠本体の移動軌跡上から外れて錠本体の施錠動作を許容する許容位置との間で、移動軌跡に対し斜めに進退自在に構成されていることが、好ましい。
【００１８】
錠本体が突出（施錠状態）していると、錠本体の突出部分が第２の召合せ部に衝突し、錠本体あるいは第２の召合せ部、更には障子を損傷する虞がある。この構成によれば、インターロック機構により、障子の開放時には、錠本体が施錠状態となることがないため、錠本体や第２の召合せ部等の損傷を有効に防止することができ、また、トリガ部材が斜めに前進するため、単純な構造でインターロック機構を構成することができる。
【００１９】
本発明の窓は、上記の錠装置と、障子と、障子を開閉自在に支持する窓枠と、を備えたことを特徴とする。
【００２０】
この構成によれば、防犯性の高く、操作性のよい、意匠性に優れた片引きや引違いの窓、を提供することができる。
【発明の効果】
【００２１】
以上のように、本発明によれば、錠装置の操作部材を第１の召合せ部と同長に添設することで、意匠性がよく防犯性の高いものとすることができ、また、操作性においても、ユニバーサルデザインを考慮したものとすることができる。
【発明を実施するための最良の形態】
【００２２】
以下、添付の図面に基づいて、本発明の一実施形態に係る錠装置を適用した引違い窓について説明する。図１の姿図に示すように、この引違い窓１は、窓枠２に、屋外側に設けられた外障子３と、屋内側に設けられた内障子４と、を組み込んで構成され、両障子３、４を引き違い形式に開閉するようになっている。また、外障子３の屋外側には、内外方向に重なるように網戸５が、開閉自在に装着されている（図２参照）。なお、同図では、引違い窓１を屋内側から見ており、左半部が外障子３、右半部が内障子４となっている。
【００２３】
窓枠２は、上枠１０、下枠１１、および左右縦枠１２、１３で四周を枠組みして構成したものであり、これら窓枠２の各構成枠材はいずれもアルミニウムの押出し形材等で構成されている。
【００２４】
内障子４および外障子３は、いずれも上框２０ａ、２０ｂ、下框２１ａ、２１ｂ、戸先框２２ａ、２２ｂおよび召合せ框２３ａ、２３ｂで四周を枠組みすると共に、この枠組み内に複層ガラス２４を組み込んで構成されている。なお、以下、内障子４の召合せ框２３ａを「内召合せ框（第１の召合せ部）２３ａ」とし、外障子３の召合せ框２３ｂを「外召合せ框（第２の召合せ部）２３ｂ」として、説明をすすめる。両障子３、４は、引き違い形式で開閉自在に構成されており、両障子３、４の内外両召合せ框２３ａ、２３ｂの相互間には、閉塞状態の内障子４と外障子３とを施錠する錠装置５０が組み込まれている。
【００２５】
図３ないし図５に示すように、内召合せ框２３ａは、方形中空形状の内召合せ框本体３６ａと、内召合せ框本体３６ａから見付け方向内側に延び複層ガラス２４が装着される呑込み溝部３５ａと、内召合せ框本体３６ａおよび呑込み溝部３５ａから屋内側に突出した断面略「Ｃ」字状の錠収容部３７と、内召合せ框本体３６ａの屋外側に突設した内煙返し４２と、で一体に形成されている。詳細は後述するが、内召合せ框本体３６ａおよび錠収容部３７には、錠装置５０の錠アッセンブリ５３、直動カム５２およびインターロック機構５４が収容され、錠収容部３７の屋内側正面には、錠装置５０の操作部材５１が添設されている。また、錠収容部３７の正面開口部は、左右一対の折曲げ片４３で構成されており、この折曲げ片４３と後述する操作部材５１とが係合する。
【００２６】
同様に、外召合せ框２３ｂは、方形中空形状の外召合せ框本体３６ｂと、外召合せ框本体３６ｂから見付け方向内側に延び複層ガラス２４が装着される呑込み溝部３５ｂと、外召合せ框本体３６ｂの屋内側に突設した外煙返し４４と、で一体に形成されている。詳細は後述するが、外召合せ框本体３６ｂには、錠装置５０の錠受け部材５５が組み込まれている。また、外煙返し４４には、後述するインターロック機構５４のトリガ部材１０１が摺接する当て板４５が設けられている。
【００２７】
ここで、図３ないし図５を参照して、本実施形態の錠装置５０について詳細に説明する。錠装置５０は、内障子４の錠収容部３７の屋内側端に上下方向スライド自在に係合する操作部材５１と、操作部材５１の裏面に固定した直動カム５２と、錠収容部３７から内召合せ框本体３６ａに亘って内蔵される錠アッセンブリ５３と、内召合せ框本体３６ａの屋外側壁に固定されるインターロック機構５４と、外障子３の外召合せ框本体３６ｂの屋内側壁に固定される錠受け部材５５と、を備えている。
【００２８】
操作部材５１は、内召合せ框２３ａと略同長であり、アルミニウム等の押出し形材で構成され、内召合せ框２３ａと同幅に形成した方形の中空部５９と、その裏面に突設した一対のスライド係合部６０，６０とで構成されている。中空部５９は、同色および同質感としてデザインの統一が図られており、その左右両側面には、滑り止めとなる縦溝が形成されている。このため、操作時にはその縦溝を手掛かりとしてスライド操作を行う。中空部５９の裏面には、上下方向に延在する逆「Ｔ」字状の一対のスライド係合部６０が相互に平行に設けられている。このスライド係合部６０が、内召合せ框２３ａにおける錠収容部３７の折曲げ片４３にスライド自在に係合することで、操作部材５１の上下方向のスライド操作を可能にしている。なお、内召合せ框２３ａと操作部材５１とは、施錠状態において、上下位置が揃うように配置されている。
【００２９】
直動カム５２は、一対のスライド係合部６０間に小口から挿入した状態で操作部材５１の裏面にネジ止めされるベースプレート６６と、ベースプレート６６に支持したカム本体６５とで一体に形成されている。カム本体６５は、上から下へ下り斜面に形成されているカム斜面６７と、カム斜面６７の下側に連なる下平坦面６８と、カム斜面６７の上側に連なる上平坦面６９と、上平坦面６９に連なり突出した状態で設けられている上施錠ストッパ７０と、下平坦面６８に連なり突出した状態で設けられている下施錠ストッパ７１と、を有している。この場合、カム斜面６７は後述する錠本体７５を施錠および解錠（進退）させ、上平坦面６９は錠本体７５を施錠位置に維持し、下平坦面６８は錠本体７５を解錠位置に維持する。すなわち、この直動カム５２に錠本体７５が摺接することで、直動カム５２は、操作部材５１による上下動作を、錠本体７５による進退動作に変換するカム機構（変換機構）が構成されている。
【００３０】
錠アッセンブリ５３は、錠収容部３７から内召合せ框本体３６ａに亘って収容されると共に、錠収容部３７と内召合せ框本体３６ａとの隔壁にネジ止めされている。錠アッセンブリ５３は、錠収容部３７と内召合せ框本体３６ａとに亘って内蔵され且つ内召合せ框本体３６ａの屋外側壁から出没する錠本体７５と、錠本体７５の施錠および解錠動作を内外方向にガイドするガイド部材７６と、錠本体７５を屋内側（解錠方向）に付勢するコイルバネ７７とを備えている。錠本体７５は、各部が方形断面に形成され、直動カム５２に摺接する錠頭部８０と、錠頭部８０に連なり細長に形成された錠胴部８１と、錠胴部８１の先端の右半分から突出して形成された施錠部８２（図３参照）と、で一体に形成されている。なお、詳細は後述するが、錠胴部８１の先端の左半分は、インターロック機構５４のトリガ部材１０１と突き当たるトリガ受け部８３を構成している。
【００３１】
ガイド部材７６は、錠収容部３７と内召合せ框本体３６ａとの隔壁にネジ止めされるガイド主部８６と、ガイド主部８６に対し屋内側に僅かに突出して形成され、施錠動作時に上施錠ストッパ７０の位置を規制する施錠位置規制部８７と、で一体に構成されている。ガイド部材７６には、ガイド主部８６および施錠位置規制部８７に亘って内外方向に貫通して設けられたガイド穴８９と、ガイド穴８９の屋内側に設けられ錠頭部８０を収容する頭部収容穴９０と、ガイド穴８９と頭部収容穴９０との間に設けられコイルバネ７７を収容するバネ受け穴９１と、を有している。
【００３２】
ガイド穴８９は、錠本体７５の錠胴部８１に合わせて方形断面に形成され、錠本体７５を進退自在に保持している。バネ受け穴９１は、ガイド穴８９よりやや大きな穴に形成され、この底部９２に圧縮バネであるコイルバネ７７の一端を、錠頭部８０の裏面にコイルバネ７７の他端を当接させることで、錠本体７５を屋内側に付勢している。頭部収容穴９０は、バネ受け穴９１よりもやや大きく形成され、施錠状態（前進状態）の錠頭部８０を収容可能に構成されている。
【００３３】
錠本体７５を受ける錠受け部材５５は、外召合せ框２３ｂの屋内側壁にネジ止めされる薄板状の錠受けプレート９３と、錠受けプレート９３の中央に設けられ錠本体７５の施錠部８２の受けとなるプレート開口９４と、錠受けプレート９３の裏面に設けられ上下方向に延在する受け突出部９５とで構成されている。一方、外召合せ框２３ｂの屋内側壁には、プレート開口９４に連なる受け開口が形成されると共に受け開口に連なるスリット開口が形成されている（いずれも図示省略）。受け突出部９５が、スリット開口に挿入されることで錠受け部材５５は、そのプレート開口９４が受け開口に合致するように装着される。
【００３４】
このような構成では、操作部材５１を下げて解錠位置から施錠位置にスライド操作して施錠動作を行うと、解錠位置において、下平坦面６８に圧接していた錠本体７５の錠頭部８０は、直動カム５２のカム斜面６７によって屋外方向に押し出される。この後、施錠位置まで操作部材５１が下げられると、錠頭部８０は、直動カム５２の上平坦面６９に圧接すると共にガイド部材７６の頭部収容穴９０に収容される。また同時に、直動カム５２の上施錠ストッパ７０が、ガイド部材７６の施錠位置規制部８７に当接する。その際、錠本体７５の施錠部８２は錠受け部材５５のプレート開口９４に向かって進入することで、内召合せ框２３ａと外召合せ框２３ｂとを施錠する。このとき、内召合せ框２３ａと操作部材５１とは上下揃った状態で施錠される。
【００３５】
一方、解錠動作を行う場合は、施錠位置から操作部材５１を上げることで、錠頭部８０は、カム斜面６７に沿ってコイルバネ７７により屋内方向に戻され、錠受け部材５５のプレート開口９４から施錠部８２が引き抜かれる。この後、下施錠ストッパ７１に錠頭部８０が当接することで、解錠動作が完了する。
【００３６】
インターロック機構５４は、内召合せ框本体３６ａの屋外側壁にネジ止めされる薄板状の被覆プレート１００と、被覆プレート１００の裏面に設けられた上下一対のトリガ支持部１０６と、トリガ支持部１０６の内側に進退自在に挟まれ且つ断面弾丸形状に形成されたトリガ部材１０１と、トリガ部材１０１を突出方向に付勢するバネ（図示省略）と、で構成されている。
【００３７】
被覆プレート１００には、図示左側に設けられ施錠部８２が出入りする錠開口１０４と、錠開口１０４と横並びに設けられトリガ部材１０１が出入りするトリガ開口１０５とが形成されている（図５参照）。両トリガ支持部１０６は、トリガ開口１０５に対し屋内側に上下対になって形成され、各トリガ支持部１０６には、トリガ部材１０１を進退自在に保持するための２本のガイドスリット１０７が左後から右前に向かって斜めに形成されている（図３参照）。トリガ部材１０１の各上下面には、ガイドスリット１０７に対応する２本のピン１０８が形成され、このピン１０８とガイドスリット１０７とが係合することで、トリガ支持部１０６は、トリガ部材１０１を斜めに進退するように保持する。バネは、このトリガ部材１０１を突出方向に付勢している。なお、トリガ部材１０１は、外煙返し４４に設けられた当て板４５に押し上げられることで後退する。
【００３８】
引違い窓１を開放している場合、トリガ部材１０１はバネ（図示省略）に付勢されて、突出した状態となっている。この状態において、錠本体７５が屋外方向に前進しようとすると、錠本体７５のトリガ受け部８３の先端がトリガ部材１０１の尾端に突き当たり、錠本体７５の前進を阻止する。一方、引違い窓１を閉めると、トリガ部材１０１の先端には、外煙返し４４に設けられた当て板４５が押し当てられ、トリガ部材１０１は、図示左斜め後方に後退する。この状態において、錠本体７５が施錠動作を行うと、錠本体７５のトリガ受け部８３の先端には突き当てられるものがないため、錠本体７５の屋外側への前進が許容され、施錠動作がなされる。つまり、引違い窓１の開放時には、操作部材５１を操作しても、トリガ部材１０１が錠本体７５の施錠動作を阻止するため、引違い窓１を施錠することはできない。これにより、引違い窓１の開放時に、錠本体７５が飛び出して錠本体７５自体や外召合せ框２３ｂ、或いは外障子３自体を傷つける等の誤作動を防ぐことができる。
【００３９】
以上の構成によれば、内召合せ框２３ａと操作部材５１とは、一体とした構成をとることができる。すなわち、錠装置５０は、操作部材５１のみを残して両召合せ框２３ａｂに内蔵されているため、ガラス越しに錠装置５０を視認したとしても、外観上は操作部材５１しか見ることができない。このため、錠装置５０の施錠状態の判別が困難となるばかりか、錠装置５０の構造も分かりにくくなるため、防犯性の高いものとすることができる。また、錠装置５０を、両召合せ框２３ａ、２３ｂに収めることで、突出した部分を設けることなく、各框のラインをすっきりと見せることができるため、意匠性としても優れたものとすることができる。つまり、デザインとして統一性をもたせることができる。さらに、操作部材５１を操作する際は、操作部材５１と内召合せ框２３ａと同長に形成しているため操作部材５１の操作位置を限定することなく、広い範囲での操作が可能となり、内召合せ框２３ａの範囲内であれば、所望の位置において操作することができる。これにより、万人に対して操作性のよいものとすることができる。
【００４０】
次に図６を参照して、本発明に係る第２実施形態について説明する。なお、以下の説明では重複した記載を避けるため、異なる点についてのみ説明する。この錠装置１１０は、操作部材１１１を内外方向に操作して施錠および解錠動作を行うものである。
【００４１】
内召合せ框１１５の錠収容部１１６は、断面「Ｃ」字状に形成され、内召合せ框本体１１７および呑込み溝部１１８に連なる左右幅狭に形成された幅狭部１１９と、これに連なり左右幅広に形成された幅広部１２０とを有している。
【００４２】
錠装置１１０は、内召合せ框１１５を覆う操作部材１１１と、平頭ピン状に形成された錠本体１２５と、錠本体１２５をガイドし錠収容部１１６に収容されたガイド部材１２６と、操作部材１１１の両内面にクリック係合するクリック機構１２７と、で構成されている。
【００４３】
この内召合せ框１１５を覆う操作部材１１１は、内召合せ框１１５と同長に形成されており、断面「Ｃ」字状に形成された部材本体１３０と、部材本体１３０の裏面開口部を構成する折曲げ片１３１と、部材本体１３０の内壁面に設けられ折曲げ片１３１に連なる第１クリック係合溝１３２と、第１クリック係合溝１３２に連なる第２クリック係合溝１３４と、内壁面に対し突出して設けられた施錠ストッパ１３５と、をそれぞれ左右一対ずつ備えており、また、屋内側内壁面に設けられ後述する錠本体１２５の錠頭部１４０が収容される頭部収容部１３６と、を備えている。
【００４４】
錠本体１２５は、各部が方形断面に形成され、錠頭部１４０と、これに連なる棒状の錠胴部１４１とから構成されている。錠頭部１４０は、操作部材１１１の頭部収容部１３６に収容されると共に固定され、操作部材１１１の操作に従って錠本体１２５も内外方向に移動する。ガイド部材１２６は、錠胴部１４１が挿入されるガイド穴１４２が形成され、錠本体１２５を内外方向にガイドする。クリック機構は１２７、例えばガイド部材１２６に固定したケースと、ケースの両端に出没自在に且つ抜止め状態で装着された２つの鋼球と、２つの鋼球を外側に同時に付勢するばねと、で構成されている（いずれも図示省略）。操作部材１１１を施錠位置に操作すると、クリック機構は１２７の鋼球が上記の第２クリック係合溝１３４に係合し（同図（ａ））、解錠位置に操作すると、クリック機構は１２７の鋼球が上記の第１クリック係合溝１３２に係合する（同図（ｂ））。
【００４５】
これにより、引違い窓１の施錠および解錠を、クリック感をもって行うことができると共に、錠本体１２５を施錠位置と解錠位置とに安定に定位させることができる。また、第１実施形態と同様に、第２実施形態においても、内召合せ框１１５と操作部材１１１とを一体とすることができるため、意匠性がよく、操作性に優れた防犯性の高いものとすることができる。
【００４６】
なお、操作部材を単一のものとし、錠本体を上下方向に複数設けるようにしても良いし、複数の錠本体に対応してそれぞれ操作部材を設けるようにしてもよい。また、上記の変換機構を、リンク機構（例えば「Ｌ」字リンク）等で構成することも可能である。さらに、第１実施形態において、操作部材の上下をカバー等で隠蔽すること、或いは第２実施形態において、操作部材のスライドにより露出する内召合せ框の幅狭部をカバー等で隠蔽することも可能である。さらにまた、操作部材を内召合せ框の側面（片側または両側）に添設する構造であってもよい。
【図面の簡単な説明】
【００４７】
【図１】本発明の一実施形態に係る錠装置を適用した引違い窓の姿図である。
【図２】引違い窓の横断面図である。
【図３】（ａ）は、解錠状態の錠装置廻りの横断面図であり、（ｂ）は、施錠状態の錠装置廻りの横断面図である。
【図４】（ａ）は、解錠状態の錠装置廻りの縦断面図であり、（ｂ）は、施錠状態の錠装置廻りの縦断面図である。
【図５】錠装置廻りの斜視図である。
【図６】（ａ）は、第２実施形態に係る施錠状態の錠装置廻りの横断面図であり、（ｂ）は、解錠状態の錠装置廻りの横断面図である。
【符号の説明】
【００４８】
１…引き違い窓  ２…窓枠  ３…外障子  ４…内障子  ２３ａ…内召合せ框  ２３ｂ…外召合せ框  ５０…錠装置  ５１…操作部材  ５２…直動カム  ５４…インターロック機構  ５５…錠受け部材  ６７…カム斜面  ６８…下平坦面  ６９…上平坦面  ７５…錠本体  １０１…トリガ部材
【図１】
2007070908.tif 000003
【図２】
2007070908.tif 000004
【図３】
2007070908.tif 000005
【図４】
2007070908.tif 000006
【図５】
2007070908.tif 000007
【図６】
2007070908.tif 000008